(57)【要約】  本発明は、液晶表示方法と装置に関し、液晶表示分野に属する。当該方法は、液晶パネルの表示コンテンツ内の各表示行における画素点の階調値を取得し、表示コンテンツ内の第ｉの表示行における画素点の階調値がいずれも所定値より小さいことに応じて、第ｉの表示行のリフレッシュレートを第１のリフレッシュレートに制御し、表示コンテンツ内の第ｊの表示行に階調値が所定値以上である画素点が存在することに応じて、第ｊの表示行のリフレッシュレートを第１のリフレッシュレートより大きい第２のリフレッシュレートに制御する（ｉ≠ｊ）。これにより、バックライト光源の消費電力のみを低減することによる低減の限度ありとの関連技術の問題を解決し、表示コンテンツ内の低輝度の表示行と高輝度の表示行とについてのリフレッシュレートの区別設定を図り、端末の液晶パネルと表示チップの消費電力を低減するため、端末の消費電力を更に低減する効果を奏する。【選択図】図３
2018505432.tif 000002
【特許請求の範囲】
【請求項１】
液晶パネルの表示コンテンツ内の各表示行における画素点の階調値を取得するステップと、
前記表示コンテンツ内の第ｉの表示行における画素点の階調値がいずれも所定値より小さいことに応じて、前記第ｉの表示行のリフレッシュレートを第１のリフレッシュレートに制御するステップと、
前記表示コンテンツ内の第ｊの表示行に階調値が前記所定値以上である前記画素点が存在することに応じて、前記第ｊの表示行のリフレッシュレートを第２のリフレッシュレートに制御するステップと、を含み、
ｉ≠ｊ、
前記第１のリフレッシュレートは、前記第２のリフレッシュレートより小さいことを特徴とする液晶表示方法。
【請求項２】
前記表示コンテンツ内の第ｉの表示行における画素点の階調値がいずれも所定値より小さいことに応じて、前記第ｉの表示行のリフレッシュレートを第１のリフレッシュレートに制御するステップは、
前記表示コンテンツ内の第ｉの表示行における画素点の階調値がいずれも所定値より小さいことに応じて、プロセッサが前記第ｉの表示行に対応するリフレッシュレート設定指令を表示チップへ送信するステップと、
前記表示チップが前記リフレッシュレート設定指令に応じて、前記第ｉの表示行のリフレッシュレートを前記第１のリフレッシュレートに制御するステップと、を含むことを特徴とする請求項１に記載の液晶表示方法。
【請求項３】
前記表示コンテンツ内の第ｉの表示行における画素点の階調値がいずれも所定値より小さいことに応じて、前記第ｉの表示行のリフレッシュレートを第１のリフレッシュレートに制御するステップは、
前記表示コンテンツ内の第ｉの表示行における画素点の階調値がいずれも所定値より小さいことに応じて、表示チップが前記第ｉの表示行のリフレッシュレートを前記第１のリフレッシュレートに制御するステップを含むことを特徴とする請求項１に記載の液晶表示方法。
【請求項４】
前記表示コンテンツが変化したとき、前記液晶パネルの表示コンテンツ内の各表示行における画素点の階調値を取得するステップを再度実行するステップをさらに含むことを特徴とする請求項１乃至３のいずれか一項に記載の液晶表示方法。
【請求項５】
表示コンテンツが所定時間内で変化しない静的表示モードと前記表示コンテンツが前記所定時間内で変化する動的表示モードとを含む現在表示モードを取得するステップをさらに含み、
前記現在表示モードが前記静的表示モードであることに応じて、前記液晶パネルの表示コンテンツ内の各表示行における画素点の階調値を取得するステップを実行することを特徴とする請求項１乃至３のいずれか一項に記載の液晶表示方法。
【請求項６】
液晶パネルの表示コンテンツ内の各表示行における画素点の階調値を取得する取得モジュールと、
前記表示コンテンツ内の第ｉの表示行における画素点の階調値がいずれも所定値より小さいことに応じて、前記第ｉの表示行のリフレッシュレートを第１のリフレッシュレートに制御する第１の設定モジュールと、
前記表示コンテンツ内の第ｊの表示行に階調値が前記所定値以上である前記画素点が存在することに応じて、前記第ｊの表示行のリフレッシュレートを第２のリフレッシュレートに制御する
第２の設定モジュールと、を備え、
ｉ≠ｊ、
前記第１のリフレッシュレートは、前記第２のリフレッシュレートより小さいことを特徴とする液晶表示装置。
【請求項７】
前記第１の設定モジュールは、
前記表示コンテンツ内の第ｉの表示行における画素点の階調値がいずれも所定値より小さいことに応じて、プロセッサを通じて前記第ｉの表示行に対応するリフレッシュレート設定指令を表示チップへ送信するように構成される第１の送信サブモジュールと、
前記リフレッシュレート設定指令に応じて、前記表示チップを通じて前記第ｉの表示行のリフレッシュレートを前記第１のリフレッシュレートに制御するように構成される第１の設定サブモジュールと、を備えることを特徴とする請求項６に記載の液晶表示装置。
【請求項８】
前記第１の設定モジュールは、
前記表示コンテンツ内の第ｉの表示行における画素点の階調値がいずれも所定値より小さいことに応じて、表示チップを通じて前記第ｉの表示行のリフレッシュレートを前記第１のリフレッシュレートに制御するように構成されることを特徴とする請求項６に記載の液晶表示装置。
【請求項９】
前記取得モジュールは、さらに、
前記表示コンテンツが変化したとき、前記液晶パネルの表示コンテンツ内の各表示行における画素点の階調値を改めて取得するように構成されることを特徴とする請求項６乃至８のいずれか一項に記載の液晶表示装置。
【請求項１０】
表示コンテンツが所定時間内で変化しない静的表示モードと前記表示コンテンツが前記所定時間内で変化する動的表示モードとを含む現在表示モードを取得するように構成されるモード取得モジュールをさらに備え、
前記取得モジュールは、前記現在表示モードが前記静的表示モードであることに応じて、前記液晶パネルの表示コンテンツ内の各表示行における画素点の階調値を取得するように構成されることを特徴とする請求項６乃至８のいずれか一項に記載の液晶表示装置。
【請求項１１】
プロセッサと、
プロセッサに接続された表示チップと、
前記プロセッサが実行できる指令を記憶するためのメモリと、を備え、
前記プロセッサあるいは前記表示チップは、
液晶パネルの表示コンテンツ内の各表示行における画素点の階調値を取得し、
前記表示コンテンツ内の第ｉの表示行における画素点の階調値がいずれも所定値より小さいことに応じて、前記第ｉの表示行のリフレッシュレートを第１のリフレッシュレートに制御し、
前記表示コンテンツ内の第ｊの表示行に階調値が前記所定値以上である前記画素点が存在することに応じて、前記第ｊの表示行のリフレッシュレートを第２のリフレッシュレートに制御するように構成され、
ｉ≠ｊ、
前記第１のリフレッシュレートは、前記第２のリフレッシュレートより小さいことを特徴とする液晶表示装置。
【発明の詳細な説明】
【技術分野】
【０００１】
本発明は、液晶表示分野に関し、特に、液晶表示方法および装置に関する。
【背景技術】
【０００２】
端末のほとんどが充電電池で給電されるため、端末の消費電力制御は、非常に重要である。
【０００３】
現在、端末の消費電力は、主に、液晶パネル、表示チップおよびバックライト光源の３つの要素に起因する。関連技術では、端末の消費電力を低減する際、バックライト光源の消費電力を低減することで端末の消費電力を低減する。
【発明の概要】
【発明が解決しようとする課題】
【０００４】
端末の消費電力を如何に低減するかの問題を解決するために、本発明は、液晶表示方法および装置を提供する。前記技術案は、下記の通りである。
【課題を解決するための手段】
【０００５】
本発明の実施例の第１の態様によれば、液晶表示方法を提供する。当該方法は、
液晶パネルの表示コンテンツ内の各表示行における画素点の階調値を取得するステップと、
表示コンテンツ内の第ｉの表示行における画素点の階調値がいずれも所定値より小さいことに応じて、第ｉの表示行のリフレッシュレートを第１のリフレッシュレートに制御するステップと、
表示コンテンツ内の第ｊの表示行に階調値が所定値以上である画素点が存在することに応じて、第ｊの表示行のリフレッシュレートを第２のリフレッシュレートに制御するステップと、を含み、
ｉ≠ｊ、第１のリフレッシュレートは、第２のリフレッシュレートより小さい。
【０００６】
好ましくは、表示コンテンツ内の第ｉの表示行における画素点の階調値がいずれも所定値より小さいことに応じて、第ｉの表示行のリフレッシュレートを第１のリフレッシュレートに制御するステップは、
表示コンテンツ内の第ｉの表示行における画素点の階調値がいずれも所定値より小さいことに応じて、プロセッサが第ｉの表示行に対応するリフレッシュレート設定指令を表示チップへ送信するステップと、
表示チップがリフレッシュレート設定指令に応じて、第ｉの表示行のリフレッシュレートを第１のリフレッシュレートに制御するステップと、を含む。
【０００７】
好ましくは、表示コンテンツ内の第ｉの表示行における画素点の階調値がいずれも所定値より小さいことに応じて、第ｉの表示行のリフレッシュレートを第１のリフレッシュレートに制御するステップは、
表示コンテンツ内の第ｉの表示行における画素点の階調値がいずれも所定値より小さいことに応じて、表示チップが第ｉの表示行のリフレッシュレートを第１のリフレッシュレートに制御するステップを含む。
【０００８】
好ましくは、当該方法は、さらに、
表示コンテンツが変化したとき、液晶パネルの表示コンテンツ内の各表示行における画素点の階調値を取得するステップを再度実行するステップを含む。
【０００９】
好ましくは、当該方法は、さらに、
表示コンテンツが所定時間内で変化しない静的表示モードと表示コンテンツが所定時間内で変化する動的表示モードとを含む現在表示モードを取得するステップを含み、
現在表示モードが静的表示モードであることに応じて、液晶パネルの表示コンテンツ内の各表示行における画素点の階調値を取得するステップを実行する。
【００１０】
本発明の実施例の第２の態様によれば、液晶表示装置を提供する。当該装置は、
液晶パネルの表示コンテンツ内の各表示行における画素点の階調値を取得する取得モジュールと、
表示コンテンツ内の第ｉの表示行における画素点の階調値がいずれも所定値より小さいことに応じて、第ｉの表示行のリフレッシュレートを第１のリフレッシュレートに制御する第１の設定モジュールと、
表示コンテンツ内の第ｊの表示行に階調値が所定値以上である画素点が存在することに応じて、第ｊの表示行のリフレッシュレートを第２のリフレッシュレートに制御する第２の設定モジュールと、を備え、
ｉ≠ｊ、第１のリフレッシュレートは、第２のリフレッシュレートより小さい。
【００１１】
好ましくは、第１の設定モジュールは、
表示コンテンツ内の第ｉの表示行における画素点の階調値がいずれも所定値より小さいことに応じて、プロセッサを通じて第ｉの表示行に対応するリフレッシュレート設定指令を表示チップへ送信するように構成される第１の送信サブモジュールと、
リフレッシュレート設定指令に応じて、前記表示チップを通じて第ｉの表示行のリフレッシュレートを第１のリフレッシュレートに制御するように構成される第１の設定サブモジュールと、を備える。
【００１２】
好ましくは、第１の設定モジュールは、
表示コンテンツ内の第ｉの表示行における画素点の階調値がいずれも所定値より小さいことに応じて、表示チップを通じて第ｉの表示行のリフレッシュレートを第１のリフレッシュレートに制御するように構成される。
【００１３】
好ましくは、取得モジュールは、さらに、
表示コンテンツが変化したとき、液晶パネルの表示コンテンツ内の各表示行における画素点の階調値を改めて取得するように構成される。
【００１４】
好ましくは、当該装置は、さらに、
表示コンテンツが所定時間内で変化しない静的表示モードと表示コンテンツが所定時間内で変化する動的表示モードとを含む現在表示モードを取得するように構成されるモード取得モジュールを備え、
前記取得モジュールは、現在表示モードが静的表示モードであることに応じて、液晶パネルの表示コンテンツ内の各表示行における画素点の階調値を取得するように構成される。
【００１５】
本発明の実施例の第３の態様によれば、液晶表示装置を提供する。当該装置は、
プロセッサと、
プロセッサに接続された表示チップと、
プロセッサが実行できる指令を記憶するためのメモリと、を備え、
プロセッサあるいは表示チップは、
液晶パネルの表示コンテンツ内の各表示行における画素点の階調値を取得し、
表示コンテンツ内の第ｉの表示行における画素点の階調値がいずれも所定値より小さいことに応じて、第ｉの表示行のリフレッシュレートを第１のリフレッシュレートに制御し、
表示コンテンツ内の第ｊの表示行に階調値が所定値以上である画素点が存在することに応じて、第ｊの表示行のリフレッシュレートを第２のリフレッシュレートに制御するように構成され、
ｉ≠ｊ、第１のリフレッシュレートは、第２のリフレッシュレートより小さい。
【発明の効果】
【００１６】
本発明の実施例に供される技術案は、以下の格別な作用効果を奏することができる。
【００１７】
液晶パネルの表示コンテンツ内の各表示行における画素点の階調値を取得し、表示コンテンツ内の第ｉの表示行における画素点の階調値がいずれも所定値より小さいことに応じて、第ｉの表示行のリフレッシュレートを第１のリフレッシュレートに制御し、表示コンテンツ内の第ｊの表示行に階調値が所定値以上である画素点が存在することに応じて、第ｊの表示行のリフレッシュレートを第２のリフレッシュレートに制御する（ｉ≠ｊ、第１のリフレッシュレートは、第２のリフレッシュレートより小さい）ことにより、バックライト光源の消費電力のみを低減することによる低減の限度ありとの関連技術の問題を解決し、表示コンテンツ内の低輝度の表示行と高輝度の表示行とについてのリフレッシュレートの区別設定を図り、端末の液晶パネルと表示チップの消費電力を低減するため、端末の消費電力をさらに低減する効果を奏する。
【００１８】
以上の一般的な記述および後述する詳細な説明は、例示的なものであり、本発明を制限するためのものでないことは、理解されるべきである。
【図面の簡単な説明】
【００１９】
ここでの図面は、明細書を構成する一部として見なされ、本発明に適した実施例を示し、かつ、明細書の文字記載とともに本発明の仕組みを解釈するために用いられる。
【図１】本発明の各実施例による端末を示す模式図である。
【図２】本発明の各実施例による液晶セル配列方式を示す模式図である。
【図３】一実施例による液晶表示方法を示すフローチャートである。
【図４】別の実施例による液晶表示方法を示すフローチャートである。
【図５】別の実施例による液晶表示方法を示すフローチャートである。
【図６】別の実施例による液晶表示方法を示すフローチャートである。
【図７】一実施例による表示コンテンツを示す模式図である。
【図８】一実施例による液晶表示装置を示すブロック図である。
【図９】別の実施例による液晶表示装置を示すブロック図である。
【図１０】別の実施例による液晶表示装置を示すブロック図である。
【図１１】別の実施例による液晶表示装置を示すブロック図である。
【図１２】別の実施例による液晶表示装置を示すブロック図である。
【発明を実施するための形態】
【００２０】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の態様と一致する装置および方法の例に過ぎない。
【００２１】
図１は、本発明の各実施例による端末を示す模式図である、当該端末は、プロセッサ１２０と、表示チップ１４０と、液晶パネル１６０とを備える。当該端末は、スマートフォン、スマートテレビ、タブレットＰＣ、電子書籍リーダー、ＭＰ３プレーヤー（Ｍｏｖｉｎｇ Ｐｉｃｔｕｒｅ Ｅｘｐｅｒｔｓ Ｇｒｏｕｐ Ａｕｄｉｏ Ｌａｙｅｒ ＩＩＩ、動画専門家集団圧縮規格オーディオレーヤー３）、ＭＰ４（Ｍｏｖｉｎｇ Ｐｉｃｔｕｒｅ Ｅｘｐｅｒｔｓ Ｇｒｏｕｐ Ａｕｄｉｏ Ｌａｙｅｒ ＩＶ、動画専門家集団圧縮規格オーディオレーヤー４）プレーヤーおよびラップトップ型携帯用コンピュータ（カメラ、ビデオカメラ）等であってもよい。
【００２２】
プロセッサ１２０は、応用プロセッサあるいはグラフィックプロセッサであってもよい。
【００２３】
表示チップ１４０は、ＤＤＩＣ（Ｄｉｓｐｌａｙ Ｄｒｉｖｅｒ Ｉｎｔｅｇｒａｔｅｄ Ｃｉｒｃｕｉｔ 、ディスプレイ用ドライバー集積電路）を含んでもよく、液晶パネル１６０における表示コンテンツに対する制御を実現可能である。
【００２４】
液晶パネル１６０は、表示チップ１４０の制御に基づいて表示してもよい。通常、表示チップ１４０は、所定のリフレッシュレート、例えば６０Ｈｚに基づいて液晶パネル１６０をリフレッシュする。
【００２５】
図２は、本発明の各実施例に用いられる液晶パネル１６０の構造模式図であり、当該液晶パネル１６０は、ｍ本の走査線ｇａｔｅ０〜ｇａｔｅ（ｍ-１）、ｎ本のデータ線ｓｏｕｒｃｅ０〜ｓｏｕｒｃｅ(ｎ-１)、および、ｍ*ｎ個の液晶セル２２０を含む。
【００２６】
液晶セル２２０は、ｍ行ｎ列で配列され、１個の液晶セル２２０は、１つの画素点を表す。
【００２７】
表示チップは、それぞれｍ本の走査線とｎ本のデータ線とに接続され、各走査線は、各行のｎ個の液晶セル２２０に接続され、各データ線は、各列のｍ個の液晶セル２２０に接続され、各液晶セル２２０は、いずれも１本の走査線および１本のデータ線に接続されている。
【００２８】
表示コンテンツを表示する際、表示チップは、第１の走査線ｇａｔｅ０が第１の表示行の液晶セル２２０を作動状態にするように、走査信号を第１の走査線ｇａｔｅ０へ送信する。同時に、表示チップは、当該行液晶セル２２０に対応する画素点の階調値をデータ線ｓｏｕｒｃｅ０〜ｓｏｕｒｃｅ(ｎ-１)を介して液晶セル２２０に格納し、表示チップは、走査信号を第２の走査線ｇａｔｅ１へ継続して送信し、同じ方法で第２の表示行の液晶セル２２０の画素点の階調値をデータ線ｓｏｕｒｃｅ０〜ｓｏｕｒｃｅ(ｎ-１)を介して液晶セル２２０に格納する。表示チップが信号を最終の走査線ｇａｔｅ(ｍ-１)へ送信し、最終の表示行の液晶セル２２０へ階調値を格納した後で、表示チップは、表示コンテンツに対する１回のリフレッシュを完了する。表示チップが表示コンテンツをリフレッシュする頻度は、液晶パネルのリフレッシュレートであり、通常は、５０Ｈｚ、６０Ｈｚあるいは１４４Ｈｚ等である。
【００２９】
図３は、本発明の一実施例による液晶表示方法を示すフローチャートである。本実施例は、当該液晶表示方法を図１に示す端末に適用することを例として説明する。当該方法は、以下のステップを含んでもよい。
【００３０】
ステップ３０１では、液晶パネルの表示コンテンツ内の各表示行における画素点の階調値を取得する。
【００３１】
表示コンテンツは、液晶パネル１６０におけるｍ*ｎ個の液晶セル上に表示されたフレームコンテンツである。好ましくは、表示コンテンツは、ｍ*ｎ個の画素点を含み、各画素点は、いずれも個別の階調値を有する。好ましくは、階調値の値の範囲が０〜２５５であり、階調値が０であるとき、黒色を表し、階調値が２５５であるとき、白色を表す。
【００３２】
好ましくは、表示コンテンツは、画像フレーム、ビデオフレーム、ユーザインターフェース等であってもよい。
【００３３】
ステップ３０２では、表示コンテンツ内の第ｉの表示行における画素点の階調値がいずれも所定値より小さいことに応じて、第ｉの表示行のリフレッシュレートを第１のリフレッシュレートに制御する。
【００３４】
ステップ３０３では、表示コンテンツ内の第ｊの表示行に階調値が所定値以上である画素点が存在することに応じて、第ｊの表示行のリフレッシュレートを第２のリフレッシュレートに制御する（ｉ≠ｊ）。
【００３５】
ただし、第１のリフレッシュレートは、第２のリフレッシュレートより小さい。
【００３６】
表示行の階調値が非常に低いとき、画素点の表示色が黒色あるいは黒色に近い色であるため、当該表示行のリフレッシュレートを低いリフレッシュレートに制御しても画素点の表示に影響しないので、表示コンテンツ内の第ｉの表示行のあらゆる画素点の階調値がいずれも所定値より小さいとき、当該第ｉの表示行のリフレッシュレートを低い第１のリフレッシュレートに制御する。
【００３７】
好ましくは、第２のリフレッシュレートは、デフォルトのリフレッシュレートであり、例えば、５０Ｈｚ、６０Ｈｚあるいは１４４Ｈｚであり、第１のリフレッシュレートは、低いリフレッシュレートであり、例えば、１Ｈｚ、２Ｈｚあるいは５Ｈｚ等である。
【００３８】
説明すべきことは、ステップ３０２とステップ３０３とは、特定の前後実行関係を有さない。
【００３９】
このように、本発明の実施例に供される液晶表示方法によれば、液晶パネルの表示コンテンツ内の各表示行における画素点の階調値を取得し、表示コンテンツ内の第ｉの表示行における画素点の階調値がいずれも所定値より小さいことに応じて、第ｉの表示行のリフレッシュレートを第１のリフレッシュレートに制御し、表示コンテンツ内の第ｊの表示行に階調値が所定値以上である画素点が存在することに応じて、第ｊの表示行のリフレッシュレートを第２のリフレッシュレートに制御する（ｉ≠ｊ、第１のリフレッシュレートは、第２のリフレッシュレートより小さい）ことにより、バックライト光源の消費電力のみを低減することによる低減の限度ありとの関連技術の問題を解決し、表示コンテンツ内の低輝度の表示行と高輝度の表示行とについてのリフレッシュレートの区別設定を図り、端末の液晶パネルと表示チップの消費電力を低減するため、端末の消費電力をさらに低減する効果を奏する。
【００４０】
上記実施例では、ステップ３０１、ステップ３０２およびステップ３０３は、図４に示す実施例に対応して、いずれもプロセッサに実行されてもよいし、さらに、図５に示す実施例に対応して、表示チップによって実行されてもよい。
【００４１】
図４は、本発明の別の実施例による液晶表示方法を示すフローチャートである。本実施例は、当該液晶表示方法を図１に示す端末に適用することを例として説明する。当該方法は、下記のステップを含む。
【００４２】
ステップ４０１では、液晶パネルの表示コンテンツ内の各表示行における画素点の階調値を取得する。
【００４３】
好ましくは、液晶パネルの表示コンテンツ内の各表示行がｎ個の画素点を含み、各画素点が赤、緑、青の３つのサブ画素を含む。ｍとｎは、どちらも正整数である。
【００４４】
液晶パネルが８ビットパネルであることを例とすると、各サブ画素は、いずれも２５６個の輝度レベル、即ち、階調値が存在する。各画素の色は、いずれも赤、緑、青の３つのサブ画素の階調値の変化に基づいて、加算して混合することで生成されるものであり、画素点の階調値が小さければ小さいほど、画素点の色が黒色に近くなる。
【００４５】
好ましくは、液晶パネルは、さらに１０ビットパネルまたは他のビット数のパネルであってもよく、その際、画素点の各サブ画素は、より多くの輝度レベルを含む。
【００４６】
プロセッサが表示コンテンツの１つの表示行における各画素点の階調値を取得し、各画素点の階調値が赤、緑、青の３つのコンポーネントの階調値を含む。好ましくは、各画素点について、プロセッサは、それらの３つのコンポーネントの階調値のうち最大値Ｑを当該画素点の階調値として選定する。
【００４７】
液晶パネルの表示コンテンツは、合計ｍ個の表示行を有し、各表示行についても、上記方法で当該行における各画素点の階調値を取得することができる。１回のリフレッシュ手順について、プロセッサは、第１の表示行から本ステップを実行し始め、一行ずつ、最終の表示行まで実行する。
【００４８】
プロセッサは、表示コンテンツ内の１つの表示行における各画素点の階調値が所定値より小さいかどうかを検出する。当該所定値は、黒色あるいは黒色に近い色に対応する階調値である。例えば、所定値が０、または、所定値が５等である。所定値は、端末によって予め設定された適当な閾値であってもよいし、ユーザによってカスタマイズされた閾値であってもよい。本発明の実施例は、それについて限定しない。
【００４９】
ステップ４０２では、表示コンテンツ内の第ｉの表示行における画素点の階調値がいずれも所定値より小さいことに応じて、プロセッサが第ｉの表示行に対応するリフレッシュレート設定指令を表示チップへ送信する。
【００５０】
第ｉの表示行の各画素点の階調値がいずれも所定値より小さいとプロセッサが判断したとき、プロセッサは、リフレッシュレート設定指令を表示チップへ送信する。好ましくは、第ｉの表示行の現在のリフレッシュレートが第１のリフレッシュレートである場合、プロセッサは、当該リフレッシュレート設定指令の送信を無視する。
【００５１】
ステップ４０３では、表示チップがリフレッシュレート設定指令に応じて、第ｉの表示行のリフレッシュレートを第１のリフレッシュレートに制御する。
【００５２】
表示チップは、プロセッサから送信されたリフレッシュレート設定指令を受信し、第ｉの表示行のリフレッシュレートを第１のリフレッシュレートに設定し、好ましくは、第１のリフレッシュレートは、１Ｈｚである。
【００５３】
ステップ４０４では、表示コンテンツ内の第ｊの表示行に階調値が所定値以上である画素点が存在することに応じて、プロセッサが第ｊの表示行に対応するリフレッシュレート設定指令を表示チップへ送信する。
【００５４】
第ｊの表示行に階調値が所定値以上である画素点が少なくとも１つ存在するとプロセッサが判断したとき、プロセッサは、別のリフレッシュレート設定指令を表示チップへ送信する。好ましくは、第ｊの表示行の現在のリフレッシュレートが第２のリフレッシュレートである場合、プロセッサは、当該別のリフレッシュレート設定指令の送信を無視する。
【００５５】
ステップ４０５では、表示チップが第２のリフレッシュレート設定指令に応じて、第ｊの表示行のリフレッシュレートを第２のリフレッシュレートに制御する。ｉ≠ｊ、第１のリフレッシュレートは、第２のリフレッシュレートより小さい。
【００５６】
表示チップは、プロセッサから送信された別のリフレッシュ設定指令を受信し、第ｊの表示行のリフレッシュレートを第２のリフレッシュレートに設定し、好ましくは、第２のリフレッシュレートは、６０Ｈｚである。
【００５７】
ただし、第１のリフレッシュレートは、第２のリフレッシュレートより小さい。好ましくは、第１のリフレッシュレートが１Ｈｚであり、第２のリフレッシュレートが６０Ｈｚである。
【００５８】
説明すべきことは、上記ステップ４０２とステップ４０４とは、特定の前後関係を有さない。
【００５９】
ステップ４０６では、プロセッサは、表示コンテンツが変化したかどうかを検出する。
【００６０】
表示チップにより生成された表示コンテンツのフレーム率が液晶パネルのリフレッシュレートより小さいとき、現在のフレームと直前のフレームとの表示コンテンツが同じである場合、プロセッサは、表示コンテンツが変化しないと判断し、現在のフレームと直前のフレームとの表示コンテンツが異なる場合、プロセッサは、表示コンテンツが変化したと判断する。
【００６１】
ステップ４０７では、表示コンテンツが変化したとき、プロセッサは、ステップ４０１での液晶パネルの表示コンテンツ内の各表示行における画素点の階調値の取得を再度実行する。
【００６２】
ある可能な実現形態では、プロセッサは、表示コンテンツが変化したことを検出すると、表示コンテンツ内の各表示行における画素点の階調値を１行ずつ取得し、リフレッシュレート設定指令を再度送信する。
【００６３】
別の可能な実現形態では、プロセッサは、表示コンテンツの変化を検出したとき、どの表示行の表示コンテンツが変化したかを検出し、表示コンテンツの変化した表示行のみに対してステップ４０１での画素点の階調値の取得を再度実行し、リフレッシュレート設定指令を再度送信する一方、表示コンテンツの変化しない表示行に対して、これらの表示行の現在のリフレッシュレートが一定になるように制御する。
【００６４】
ステップ４０８では、表示コンテンツが変化しないとき、プロセッサは、各表示行の現在のリフレッシュレートが一定になるように制御する。
【００６５】
説明すべきことは、上記「ｉ」および「ｊ」は、特別な意味を有さず、表示コンテンツ内の任意の表示行を表すことができる。
【００６６】
このように、本発明の実施例に供される液晶表示方法によれば、液晶パネルの表示コンテンツ内の各表示行における画素点の階調値を取得し、表示コンテンツ内の第ｉの表示行における画素点の階調値がいずれも所定値より小さいことに応じて、第ｉの表示行のリフレッシュレートを第１のリフレッシュレートに設定し、表示コンテンツ内の第ｊの表示行に階調値が所定値以上である画素点が存在することに応じて、将第ｊの表示行のリフレッシュレートを第２のリフレッシュレートに設定する（ｉ≠ｊ、第１のリフレッシュレートは、第２のリフレッシュレートより小さい）ことにより、バックライト光源の消費電力のみを低減することによる低減の限度ありとの関連技術の問題を解決し、表示コンテンツ内の低輝度の表示行と高輝度の表示行とについてのリフレッシュレートの区別設定を図り、端末の液晶パネルと表示チップの消費電力を低減するため、端末の消費電力をさらに低減する効果を奏する。
【００６７】
このように、本発明の実施例に供される方法では、表示コンテンツ内の低輝度の表示行について低いリフレッシュレートを設定し、高輝度の表示行について高いリフレッシュレートを設定するため、端末の消費電力を低減するに加えて、表示コンテンツの正常表示の効果も保証され、基本的に表示効果に影響を与えない。
【００６８】
図５は、本発明の別の実施例による液晶表示方法を示すフローチャートである。本実施例は、当該液晶表示方法を図１に示す端末に適用することを例として説明する。当該方法は、以下のステップを含む。
【００６９】
ステップ５０１では、液晶パネルの表示コンテンツ内の各表示行における画素点の階調値を取得する。
【００７０】
好ましくは、液晶パネルの表示コンテンツ内の各表示行がｎ個の画素点を含み、各画素点が赤、緑、青の３つのサブ画素を含む。ｍとｎは、どちらも正整数である。
【００７１】
液晶パネルが８ビットパネルであることを例とすると、各サブ画素は、いずれも２５６個の輝度レベル、即ち、階調値が存在する。各画素の色は、いずれも赤、緑、青の３つのサブ画素の階調値の変化に基づいて、加算して混合することで生成されるものであり、画素点の階調値が小さければ小さいほど、画素点の色が黒色に近くなる。
【００７２】
好ましくは、液晶パネルは、さらに１０ビットパネルまたは他のビット数のパネルであってもよく、その際、画素点の各サブ画素は、より多くの輝度レベルを含む。
【００７３】
表示チップが表示コンテンツの１つの表示行における各画素点の階調値を取得し、各画素点の階調値が赤、緑、青の３つのコンポーネントの階調値を含む。好ましくは、各画素点について、表示チップは、それらの３つのコンポーネントの階調値のうち最大値Ｑを当該画素点の階調値として選定する。
【００７４】
液晶パネルの表示コンテンツがｍ個の表示行を共有し、各表示行について上記方法で当該行における各画素点の階調値を取得してもよい。
【００７５】
表示チップは、表示コンテンツ内の１つの表示行における各画素点の階調値が所定値より小さいかどうかを検出する。当該所定値は、黒色あるいは黒色に近い色に対応する階調値である。例えば、所定値が０、または、所定値が５等である。所定値は、端末によって予め設定された適当な閾値であってもよいし、ユーザによってカスタマイズされた閾値であってもよい。本発明の実施例は、それについて限定しない。
【００７６】
ステップ５０２では、表示コンテンツ内の第ｉの表示行における画素点の階調値がいずれも所定値より小さいことに応じて、表示チップが第ｉの表示行のリフレッシュレートを第１のリフレッシュレートに制御する。
【００７７】
第ｉの表示行の各画素点の階調値がいずれも所定値より小さいと表示チップが判断したとき、表示チップは、第ｉの表示行のリフレッシュレートを第１のリフレッシュレートに設定する。好ましくは、第ｉの表示行の現在のリフレッシュレートが第１のリフレッシュレートである場合、表示チップは、今回の設定を無視する。
【００７８】
ステップ５０３では、表示コンテンツ内の第ｊの表示行に階調値が所定値以上である画素点が存在することに応じて、表示チップが第ｊの表示行のリフレッシュレートを第２のリフレッシュレートに制御する。ｉ≠ｊ、第１のリフレッシュレートは、第２のリフレッシュレートより小さい。
【００７９】
第ｊの表示行に階調値が所定値以上である画素点が少なくとも１つ存在すると表示チップが判断したとき、表示チップは、第ｊの表示行のリフレッシュレートを第２のリフレッシュレートに設定する。第ｊの表示行の現在のリフレッシュレートが第２のリフレッシュレートである場合、表示チップは、今回の設定を無視する。
【００８０】
ただし、第１のリフレッシュレートは、第２のリフレッシュレートより小さく、好ましくは、第１のリフレッシュレートが１Ｈｚであり、第２のリフレッシュレートが６０Ｈｚである。
【００８１】
説明すべきことは、ステップ５０２とステップ５０３とは、特定の前後関係を有さない。
【００８２】
ステップ５０４では、表示チップは、表示コンテンツが変化したかどうかを検出する。
【００８３】
表示チップにより生成された表示コンテンツのフレーム率が液晶パネルのリフレッシュレートより小さいとき、現在のフレームと直前のフレームとの表示コンテンツが同じである場合、表示チップは、表示コンテンツが変化しないと判断し、現在のフレームと直前のフレームとの表示コンテンツが異なる場合、表示チップは、表示コンテンツが変化したと判断する。
【００８４】
ステップ５０５では、表示コンテンツが変化したとき、表示チップは、ステップ５０１での液晶パネルの表示コンテンツ内の各表示行における画素点の階調値の取得を再度実行する。
【００８５】
ある可能な実現形態では、表示チップは、表示コンテンツの変化を検出したとき、表示コンテンツ内の各表示行における画素点の階調値を１行ずつ取得し、リフレッシュレート設定指令を送信する。
【００８６】
別の可能な実現形態では、表示チップは、表示コンテンツの変化を検出したとき、どの表示行の表示コンテンツが変化したかを検出し、表示コンテンツの変化した表示行のみに対してステップ５０１での画素点の階調値の取得を再度実行し、リフレッシュレート設定指令を設定する一方、表示コンテンツの変化しない表示行に対して、これらの表示行の現在のリフレッシュレートが一定になるように制御する。
【００８７】
ステップ５０６では、表示コンテンツが変化しないとき、表示チップは、各表示行の現在のリフレッシュレートが一定になるように制御する。
【００８８】
このように、本発明の実施例に供される液晶表示方法によれば、液晶パネルの表示コンテンツ内の各表示行における画素点の階調値を取得し、表示コンテンツ内の第ｉの表示行における画素点の階調値がいずれも所定値より小さいことに応じて、第ｉの表示行のリフレッシュレートを第１のリフレッシュレートに制御し、表示コンテンツ内の第ｊの表示行に階調値が所定値以上である画素点が存在することに応じて、第ｊの表示行のリフレッシュレートを第２のリフレッシュレートに制御する（ｉ≠ｊ、第１のリフレッシュレートは、第２のリフレッシュレートより小さい）ことにより、バックライト光源の消費電力のみを低減することによる低減の限度ありとの関連技術の問題を解決し、表示コンテンツ内の低輝度の表示行と高輝度の表示行とについてのリフレッシュレートの区別設定を図り、端末の液晶パネルと表示チップの消費電力を低減するため、端末の消費電力をさらに低減する効果を奏する。
【００８９】
このように、本発明の実施例に供される方法では、表示コンテンツ内の低輝度の表示行について低いリフレッシュレートを設定し、高輝度の表示行について高いリフレッシュレートを設定するため、端末の消費電力を低減するに加えて、表示コンテンツの正常表示の効果も保証され、基本的に表示効果に影響を与えない。
【００９０】
このように、本発明の実施例に供される方法では、表示チップを使用して画素点の階調値が所定値より小さいかどうかを判断するため、プロセッサの負荷が低減される。
【００９１】
図４および図５に示す実施例に基づく他の好適な実施例では、ステップ４０１およびステップ５０１の前に、他のステップをさらに含む。図６に示すように、ステップ６０１およびステップ６０２をさらに含む。
【００９２】
ステップ６０１では、静的表示モードと動的表示モードとを含む現在表示モードを取得し、静的表示モードは、表示コンテンツが所定時間内で変化しない表示モードであり、動的表示モードは、表示コンテンツが所定時間内で変化する表示モードである。
【００９３】
現在表示モードは、現在の表示コンテンツに対応する表示モードであり、現在表示モードを取得するには、複数の実現形態があり得る。
【００９４】
ある可能な実施方法では、プロセッサは、現在の表示シーンを判断することで現在表示モードを取得してもよく、静的表示シーンにおいて、表示コンテンツの変化頻度が小さいため、プロセッサは、現在表示モードを静的表示モードとして判断し、動的表示シーンにおいて、表示コンテンツが頻繁に変化するため、プロセッサは、現在表示モードを動的表示モードとして判断する。例えば、ビデオが動的表示シーンであるため、プロセッサは、現在ビデオを再生していると検出したとき、動的表示モードであると判断する一方、デスクトップ画面ロックが静的表示シーンであるため、プロセッサは、現在画面ロック環境であると検出したとき、静的表示モードであると判断する。
【００９５】
好ましくは、ユーザは、異なる表示シーンを予め分類し、それぞれが静的表示シーンに属するかそれとも動的表示シーンに属するかを設定してもよい。
【００９６】
別の可能な実施形態では、プロセッサは、表示バッファエリア中の現在のフレームコンテンツおよびそれに隣接するフレームコンテンツを取得し、現在のフレームコンテンツとそれに隣接するフレームコンテンツとの画像データが同じであるかどうかを検出し、２フレームの画像データが同じであるとき、静的表示モードと判断し、２フレームの画像データが異なるとき、動的表示モードと判断する。
【００９７】
プロセッサは、他の方法で現在表示モードを取得してもよく、所定時間は、端末によって予め設定された適当値であってもよいし、ユーザによってカスタマイズされたものであってもよい。本発明は、所定時間の設定および現在表示モードを取得する方法について限定しない。
【００９８】
好ましくは、プロセッサが時間周期Ｔおきに現在表示モードを判断し、本発明の実施例は、時間周期Ｔの値について限定しない。
【００９９】
ステップ６０２では、現在表示モードが静的表示モードであることに応じて、液晶パネルの表示コンテンツ内の各表示行における画素点の階調値を取得するステップを実行する。
【０１００】
プロセッサは、現在表示モードが静的表示モードであると判断したとき、現在の表示コンテンツが所定時間内で変化しないとみなすため、液晶パネルの表示コンテンツ内の各表示行における各画素点の階調値を取得するステップを実行する。
【０１０１】
好ましくは、プロセッサは、現在表示モードが動的表示モードであると判断したとき、液晶パネルのリフレッシュレートを調整しない。
【０１０２】
ある具体例では、端末が電子アルバムであり、表示コンテンツが画像フレームであり、液晶パネルの表示コンテンツについて５秒毎に１フレームの新たな画像フレームを更新し、フレーム１、フレーム２…にて異なるフレームコンテンツの画像フレームを表し、初期表示コンテンツがフレーム１とする。
【０１０３】
図７に示すように、表示コンテンツに２０*１５個の画素点があり、７０１が表示コンテンツの第１〜８の表示行であり、７０２が表示コンテンツの第９〜１３の表示行であり、７０３が表示コンテンツの第１４〜２０の表示行である。
【０１０４】
プロセッサによって取得された現在表示モードが静的表示モードである場合、表示コンテンツ内の第１の表示行の１５個の画素点の階調値を取得し、所定値が５とすれば、表示コンテンツ内の第１の表示行の１５個の画素点の階調値がいずれも０であり、所定値５より小さい、つまり、第１の表示行の表示コンテンツが黒色画像であるため、第１の表示行のリフレッシュレートを第１のリフレッシュレート１Ｈｚに設定する。同様な理由により、第２〜８の表示行のリフレッシュレートをいずれも第１のリフレッシュレート１Ｈｚに設定する。第９の表示行の画素点の階調値を取得したとき、階調値が２５５である画素点が８個存在し、所定値より大きいため、第９の表示行のリフレッシュレートを第２のリフレッシュレート６０Ｈｚに設定し、同様な理由により、第１０〜１３の表示行のリフレッシュレートを第２のリフレッシュレートに設定する。第１４の表示行の画素点の階調値を取得したとき、１５個の画素点の階調値がいずれも所定値より小さいため、第１４の表示行のリフレッシュレートを第１のリフレッシュレート１Ｈｚに設定し、同様な理由により、第１５〜２０の表示行のリフレッシュレートをいずれも第１のリフレッシュレートに設定する。
【０１０５】
表示コンテンツのフレームコンテンツが５秒内にフレーム１で一定である場合、リフレッシュレートをそのまま維持する。つまり、第１〜８の表示行と第１４〜２０の表示行のリフレッシュレートを第１のリフレッシュレート１Ｈｚのまま維持し、第９〜１３の表示行のリフレッシュレートを第２のリフレッシュレート１Ｈｚのまま維持する。表示コンテンツがフレーム１からフレーム２に変化した後で、各表示行における画素点の階調値を改めて取得して各表示行のリフレッシュレートを再度設定する。
【０１０６】
図８は、本発明の一実施例による液晶表示装置を示すブロック図である。本実施例は、当該液晶表示方法を図１に示す端末に適用することを例として説明する。当該装置は、
液晶パネルの表示コンテンツ内の各表示行における画素点の階調値を取得するように構成される取得モジュール８０２と、
表示コンテンツ内の第ｉの表示行における画素点の階調値がいずれも所定値より小さいことに応じて、第ｉの表示行のリフレッシュレートを第１のリフレッシュレートに制御するように構成される第１の設定モジュール８０４と、
表示コンテンツ内の第ｊの表示行に階調値が所定値以上である画素点が存在することに応じて、第ｊの表示行のリフレッシュレートを第２のリフレッシュレートに制御するように構成される第２の設定モジュール８０６と、を備え、
ｉ≠ｊ、第１のリフレッシュレートは、第２のリフレッシュレートより小さい。
【０１０７】
このように、本発明の実施例に供される液晶表示装置によれば、液晶パネルの表示コンテンツ内の各表示行における画素点の階調値を取得し、表示コンテンツ内の第ｉの表示行における画素点の階調値がいずれも所定値より小さいことに応じて、第ｉの表示行のリフレッシュレートを第１のリフレッシュレートに設定し、表示コンテンツ内の第ｊの表示行に階調値が所定値以上である画素点が存在することに応じて、第ｊの表示行のリフレッシュレートを第２のリフレッシュレートに設定する（ｉ≠ｊ、第１のリフレッシュレートは、第２のリフレッシュレートより小さい）ことにより、バックライト光源の消費電力のみを低減することによる低減の限度ありとの関連技術の問題を解決し、表示コンテンツ内の低輝度の表示行と高輝度の表示行とについてのリフレッシュレートの区別設定を図り、端末の液晶パネルと表示チップの消費電力を低減するため、端末の消費電力をさらに低減する効果を奏する。
【０１０８】
図９は、本発明の別の実施例による液晶表示装置を示すブロック図である。本実施例は、当該液晶表示方法を図１に示す端末に適用することを例として説明する。当該装置は、
表示コンテンツが所定時間内で変化しない静的表示モードと表示コンテンツが所定時間内で変化する動的表示モードとを含む現在表示モードを取得するように構成されるモード取得モジュール９０１と、
現在表示モードが静的表示モードであることに応じて、液晶パネルの表示コンテンツ内の各表示行における画素点の階調値を取得し、
さらに、表示コンテンツが変化したとき、液晶パネルの表示コンテンツ内の各表示行における画素点の階調値を再度取得するように構成される取得モジュール９０２と、
表示コンテンツ内の第ｉの表示行における画素点の階調値がいずれも所定値より小さいことに応じて、第ｉの表示行のリフレッシュレートを第１のリフレッシュレートに制御するように構成される第１の設定モジュール９０３と、を備える。
【０１０９】
第１の設定モジュール９０３は、２種の可能な実現形態を有する。
【０１１０】
第１種実現形態では、第１の設定モジュール９０３は、プロセッサおよび表示チップによって共同構成され、第１の設定モジュール９０３は、図１０に示すように、第１の送信サブモジュール９０３ａおよび第１の設定サブモジュール９０３ｂを備える。
【０１１１】
第１の送信サブモジュール９０３ａは、表示コンテンツ内の第ｉの表示行における画素点の階調値がいずれも所定値より小さいことに応じて、プロセッサを通じて第ｉの表示行に対応するリフレッシュレート設定指令を表示チップへ送信するように構成される。
【０１１２】
第１の設定サブモジュール９０３ｂは、リフレッシュレート設定指令に応じて、表示チップを通じて第ｉの表示行のリフレッシュレートを第１のリフレッシュレートに設定するように構成される。
【０１１３】
第２種実現形態では、第１の設定モジュール９０３は、表示チップによって単独構成され、第１の設定モジュール９０３は、具体的に、
表示コンテンツ内の第ｉの表示行における画素点の階調値がいずれも所定値より小さいことに応じて、表示チップを通じて第ｉの表示行のリフレッシュレートを第１のリフレッシュレートに設定するように構成される。
【０１１４】
第２の設定モジュール９０４は、表示コンテンツ内の第ｊの表示行に階調値が所定値以上である画素点が存在することに応じて、第ｊの表示行のリフレッシュレートを第２のリフレッシュレートに制御するように構成される。ただし、ｉ≠ｊ、第１のリフレッシュレートは、第２のリフレッシュレートより小さい。
【０１１５】
第１の設定モジュール９０３の実現形態に対応し、第２の設定モジュール９０４も２種の可能な実現形態を有する。
【０１１６】
第１の設定モジュール９０３が第１種実現形態を利用する場合、第２の設定モジュールもプロセッサおよび表示チップによって共同構成され、第２の設定モジュール９０４は、図１１に示すように、第２の送信サブモジュール９０４ａおよび第２の設定サブモジュール９０４ｂを備える。
【０１１７】
第２の送信サブモジュール９０４ａは、表示コンテンツ内の第ｊの表示行に階調値が所定値以上である画素点が存在することに応じて、プロセッサを通じて第ｊの表示行に対応する第２のリフレッシュレート設定指令を表示チップへ送信するように構成される。
【０１１８】
第２の設定サブモジュール９０４ｂは、リフレッシュレート設定指令に応じて、表示チップを通じて第ｊの表示行のリフレッシュレートを第２のリフレッシュレートに制御するように構成される。ただし、ｉ≠ｊ、第１のリフレッシュレートは、第２のリフレッシュレートより小さい。
【０１１９】
第１の設定モジュール９０３が第２種実現形態を利用する場合、第２の設定モジュールも表示チップによって単独構成され、第２の設定モジュール９０４は、具体的に、表示コンテンツ内の第ｊの表示行に階調値が所定値以上である画素点が存在することに応じて、表示チップを通じて第ｊの表示行のリフレッシュレートを第２のリフレッシュレートに制御するように構成される。ただし、ｉ≠ｊ、第１のリフレッシュレートは、第２のリフレッシュレートより小さい。
【０１２０】
検出モジュール９０５は、表示コンテンツが変化したかどうかを検出するように構成される。
【０１２１】
好ましくは、検出モジュール９０５は、プロセッサあるいは表示チップによって実行されてもよい。
【０１２２】
制御モジュール９０６は、表示コンテンツが変化しないとき、表示チップが各表示行の現在のリフレッシュレートが一定になるように制御するように構成される。
【０１２３】
このように、本発明の実施例に供される液晶表示装置によれば、液晶パネルの表示コンテンツ内の各表示行における画素点の階調値を取得し、表示コンテンツ内の第ｉの表示行における画素点の階調値がいずれも所定値より小さいことに応じて、第ｉの表示行のリフレッシュレートを第１のリフレッシュレートに制御し、表示コンテンツ内の第ｊの表示行に階調値が所定値以上である画素点が存在することに応じて、第ｊの表示行のリフレッシュレートを第２のリフレッシュレートに制御する（ｉ≠ｊ、第１のリフレッシュレートは、第２のリフレッシュレートより小さい）ことにより、バックライト光源の消費電力のみを低減することによる低減の限度ありとの関連技術の問題を解決し、表示コンテンツ内の低輝度の表示行と高輝度の表示行とについてのリフレッシュレートの区別設定を図り、端末の液晶パネルと表示チップの消費電力を低減するため、端末の消費電力をさらに低減する効果を奏する。
【０１２４】
このように、本発明の実施例に供される方法では、表示コンテンツ内の低輝度の表示行について低いリフレッシュレートを設定し、高輝度の表示行について高いリフレッシュレートを設定するため、端末の消費電力を低減するに加えて、表示コンテンツの正常表示の効果も保証され、基本的に表示効果に影響を与えない。
【０１２５】
上記実施例における装置について、各モジュールが操作を実行する具体的な方式が当該方法に関する実施例で詳細に記述されたため、ここで詳しく説明しない。
【０１２６】
本発明の一実施例は、本発明に供される液晶表示方法を実現可能な液晶表示装置を提供する。当該置は、プロセッサと、プロセッサに接続された表示チップと、プロセッサの実行可能な指令を記憶するためのメモリと、を備え、
プロセッサあるいは表示チップは、
液晶パネルの表示コンテンツ内の各表示行における画素点の階調値を取得し、
表示コンテンツ内の第ｉの表示行における画素点の階調値がいずれも所定値より小さいことに応じて、第ｉの表示行のリフレッシュレートを第１のリフレッシュレートに制御し、
表示コンテンツ内の第ｊの表示行に階調値が所定値以上である画素点が存在することに応じて、第ｊの表示行のリフレッシュレートを第２のリフレッシュレートに制御するように構成され、ｉ≠ｊ、第１のリフレッシュレートは、第２のリフレッシュレートより小さい。
【０１２７】
好ましくは、プロセッサあるいは表示チップは、さらに、
表示コンテンツ内の第ｉの表示行における画素点の階調値がいずれも所定値より小さいことに応じて、プロセッサを通じて第ｉの表示行に対応するリフレッシュレート設定指令を表示チップへ送信し、
リフレッシュレート設定指令に応じて、表示チップを通じて第ｉの表示行のリフレッシュレートを第１のリフレッシュレートに制御するように構成される。
【０１２８】
好ましくは、プロセッサあるいは表示チップは、さらに、
表示コンテンツが変化したとき、液晶パネルの表示コンテンツ内の各表示行における画素点の階調値を取得するステップを再度実行するように構成される。
【０１２９】
好ましくは、プロセッサあるいは表示チップは、さらに、
表示コンテンツが所定時間内で変化しない静的表示モードと前記表示コンテンツが前記所定時間内で変化する動的表示モードとを含む現在表示モードを取得し、
現在表示モードが静的表示モードであることに応じて、液晶パネルの表示コンテンツ内の各表示行における画素点の階調値を取得するステップを実行するように構成される。
【０１３０】
図１２は、一実施例による液晶表示を示すブロック図である。例えば、装置１２００は、携帯電話、コンピュータ、デジタル放送端末、メッセージ送受信機器、ゲームコンソール、タブレットデバイス、医療設備、フィットネス機器、ＰＤＡなどであってもよい。
【０１３１】
図１２を参照すると、装置１２００は、処理ユニット１２０２、メモリ１２０４、電源ユニット１２０６、マルチメディアユニット１２０８、オーディオユニット１２１０、入力／出力（Ｉ／Ｏ）インターフェース１２１２、センサユニット１２１４、および、通信ユニット１２１６のうちの１つまたは複数を含んでもよい。
【０１３２】
処理ユニット１２０２は、通常は、表示、電話発呼、データ通信、カメラ操作および記録操作に関連する操作のような、装置１２００の全般操作を制御する。処理ユニット１２０２は、上記方法の全部または一部のステップを実施させるように、指令を実行するための１つまたは複数のプロセッサ１２１８を含んでもよい。また、処理ユニット１２０２は、処理ユニット１２０２と他のユニットとの間の相互作用を容易にするように、１つ又は複数のモジュールを含んでもよい。例えば、処理ユニット１２０２は、マルチメディアユニット１２０８と処理ユニット１２０２との間の相互作用を容易にするように、マルチメディアモジュールを含んでもよい。
【０１３３】
メモリ１２０４は、各タイプのデータを記憶して装置１２００での操作をサポートするように構成される。これらのデータの例示は、装置１２００で操作するための任意のアプリケーションもしくは方法の指令、連絡先データ、電話帳データ、メッセージ、ピクチャ、ビデオなどを含む。メモリ１２０４は、如何なる種別の揮発性もしくは不揮発性記憶装置またはそれらの組合せで実現されてもよい。例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。
【０１３４】
電源ユニット１２０６は、装置１２００のユニットのそれぞれに電力を供給する。電源ユニット１２０６は、電源管理システム、１つまたは複数の電源、並びに、装置１２００用の電力を生成、管理および配分するに関する他のユニットを含んでもよい。
【０１３５】
マルチメディアユニット１２０８は、装置１２００とユーザとの間に1つの出力インターフェースを供給するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、タッチスクリーンとして実現されてもよい。タッチパネルは、タッチ、スライドおよびタッチパネルでのジェスチャを感知するように、１つまたは複数のタッチセンサを含む。タッチセンサは、タッチあるいはスライド動作の境界を感知するだけではなく、タッチあるいはスライド操作と関連する持続時間および圧力をさらに検出することができる。一部の実施例では、マルチメディアユニット１２０８は、１つのフロントカメラおよび/またはバックカメラを含む。装置１２００が操作モード、例えば、撮影モードあるいはビデオモードであるとき、フロントカメラおよび/またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【０１３６】
オーディオユニット１２１０は、オーディオ信号を出力および/または入力するように構成される。例えば、オーディオユニット１２１０は、マイク（ＭＩＣ）を備え、装置１２００が操作モード、例えば、発呼モード、記録モードおよび音声識別モードであるとき、マイクは、外部オーディオ信号を受信するように構成される。受信されたオーディオ信号は、さらに、メモリ１２０４に格納される、または、通信ユニット１２１６を介して送信されることができる。一部の実施例では、オーディオユニット１２１０は、オーディオ信号を出力するためのスピーカをさらに含む。
【０１３７】
Ｉ／Ｏインターフェース１２１２は、処理ユニット１２０２とペリフェラルインターフェースモジュールとの間でインターフェースを供給するものであり、上記ペリフェラルインターフェースモジュールは、キーボード、クリックホイール、ボタンなどであってもよい。これらのボタンには、ホームページボタン、ボリュームボタン、起動ボタンおよびロックボタンが含まれてもよいが、それらに限定されない。
【０１３８】
センサユニット１２１４は、様々な側面での状態推定を装置１２００に供給するための１つまたは複数のセンサを含む。例えば、センサユニット１２１４は、装置１２００のオン/オフ状態、ユニットの相対位置を検出することができ、ユニットは、例えば、装置１２００のディスプレイおよびキーパッドである。センサユニット１２１４は、さらに、装置１２００もしくは装置１２００の１つのユニットの位置変更、ユーザと装置１２００との接触の存在もしくは非存在、装置１２００の方位もしくは加速/減速および装置１２００の温度変化をさらに検出することができる。センサユニット１２１４は、如何なる物理的接触もないとき、近辺にある物体の存在を検出するための近接センサを含んでもよい。センサユニット１２１４は、さらに、イメージングアプリケーションに使用される光センサ、例えばＣＭＯＳまたはＣＣＤ画像センサを含んでもよい。一部の実施例では、当該センサユニット１２１４は、さらに、加速度センサ、ジャイロセンサ、磁気センサ、圧力センサまたは温度センサを含んでもよい。
【０１３９】
通信ユニット１２１６は、装置１２００と他の機器間の無線または有線方式の通信ができるように構成される。装置１２００は、通信規格に基づく無線ネットワーク、例えば、ＷｉＦｉ、２Ｇもしくは３Ｇなどの通信規格、またはそれらの組合せに基づく無線ネットワークにアクセスすることができる。ある実施例では、通信ユニット１２１６は、外部ブロードキャスト管理システムからのブロードキャスト信号またはブロードキャスト関連情報をブロードキャストチャネルを介して受信する。ある実施例では、通信ユニット１２１６は、さらに、短距離通信を容易にするように、ニアフィールド通信（ＮＦＣ）モジュールを含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術および他の技術によって実現されてもよい。
【０１４０】
実施例では、装置１２００は、上記液晶表示方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０１４１】
実施例では、指令を含む非一時的コンピュータ読み取り可能な記憶媒体、例えば、指令を含むメモリ１２０４をさらに提供し、上記指令が装置１２００のプロセッサ１２１８によって実行されることで上記液晶表示方法を実施させることができる。例えば、非一時的コンピュータ読み取り可能な記憶媒体は、ＲＯＭ、ランダムアクセスメモリ（ＲＡＭ）、ＣＤ-ＲＯＭ、磁気テープ、フロッピーディスクおよび光データ記憶機器などであってもよい。
【０１４２】
当業者は明細書を考慮し、ここに公開された開示を実践した後、本発明の他の実施案を容易に想到する。本願は、本発明の如何なる変形、用途または適合もカバーすることを意図する。これらの変形、用途または適合は、本発明の一般的な仕組みに従い、かつ、本発明に公開されていない当分野における公知常識または慣用技術手段を含む。明細書および実施例は単なる例示と見なされ、本発明の本当の範囲および思想は添付する特許請求の範囲によって与えられる。
【０１４３】
本発明が以上で記載され、且つ図面に示された正確な構造に限定されるものでなく、その要旨を逸脱しない範囲で様々な補正や変更も可能であることは理解されるべきである。本発明の範囲は、添付する特許請求の範囲のみによって限定される。
【０１４４】
本発明は、出願番号が２０１５１０７７２７３２.７であり、出願日が２０１５年１１月１２日である中国特許出願を基に提出するものであり、当該中国特許出願の優先権を主張し、当該中国特許出願の全ての内容は、参照のため本願に援用される。
【図１】
2018505432.tif 000003
【図２】
2018505432.tif 000004
【図３】
2018505432.tif 000005
【図４】
2018505432.tif 000006
【図５】
2018505432.tif 000007
【図６】
2018505432.tif 000008
【図７】
2018505432.tif 000009
【図８】
2018505432.tif 000010
【図９】
2018505432.tif 000011
【図１０】
2018505432.tif 000012
【図１１】
2018505432.tif 000013
【図１２】
2018505432.tif 000014
【国際調査報告】
2018505432.tif 000015
2018505432.tif 000016
2018505432.tif 000017
2018505432.tif 000018